(57)【要約】【課題】針部材による指示の誤認を防ぐことができる文字板構造および指針式機器を提供する。【解決手段】上文字板9と下文字板8との間に副針24が位置し、この副針24の一端部が、上文字板9の広開口部20から露出して下文字板8の機能表示部21に沿って移動する際、副針24の一端部に設けられた目盛開口部30が内周目盛部26に沿って移動し、この目盛開口部30内に位置して露出する一部の内周目盛部26を内周指示部32が指示する。また、副針24の他端部が、上文字板9の広開口部20から露出して下文字板8の機能表示部21に沿って移動する際、副針24の他端部に設けられた外周指示部35が外周目盛部25を指示する。このため、副針24が内周指示部31と外周指示部35とを備えていても、また機能表示部21が外周目盛部25と内周目盛部26とを備えていても、副針24による機能表示部21に対する指示の誤認を確実に且つ容易に防ぐことができる。【選択図】      図４
2012168200.tif 000002
【特許請求の範囲】
【請求項１】
所定箇所に広開口部が設けられた第１文字板と、この第１文字板の下側に配置されて前記広開口部から露出する箇所に機能表示部が表示された第２文字板と、前記第１文字板と前記第２文字板との間に位置した状態で設けられて前記第２文字板の前記機能表示部に沿って運針する針部材とを備え、
前記機能表示部は、前記針部材の回転中心部を中心として所定の角度範囲で形成された表示領域と、この表示領域における外周側に設けられた外周目盛部と、この外周目盛部の内周側に設けられた内周目盛部とを有し、
前記針部材は、その一端部側に設けられて前記内周目盛部に沿って移動する目盛開口部と、この目盛開口部にその内側に向けて突出して設けられ、且つ前記目盛開口部内に位置する一部の前記内周目盛部を指示する内周指示部と、他端部に設けられて前記外周目盛部を指示する外周指示部とを有していることを特徴とする文字板構造。
【請求項２】
前記針部材は、前記内周指示部側の前記一端部に設けられて前記外周目盛部の一部を隠しながら移動する外周目盛隠し部を有していることを特徴とする請求項１に記載の文字板構造。
【請求項３】
前記針部材は、前記外周指示部側の前記他端部に設けられて前記内周目盛部の一部を隠しながら移動する内周目盛隠し部を有していることを特徴とする請求項１または２に記載の文字板構造。
【請求項４】
前記機能表示部の前記表示領域は、前記針部材の前記内周指示部と前記外周指示部との一方が前記機能表示部を指示している状態のときに、前記内周指示部と前記外周指示部との他方が前記第１文字板の下側に位置して隠れる範囲で設けられていることを特徴とする請求項１〜３のいずれかに記載の文字板構造。
【請求項５】
前記外周目盛部と前記内周目盛部とは、同じ種類の機能を表す目盛が分割されて連続した状態で表示されていることを特徴とする請求項１〜４のいずれかに記載の文字板構造。
【請求項６】
前記外周目盛部と前記内周目盛部とは、異なる種類の機能を表す目盛がそれぞれ独立して表示されていることを特徴とする請求項１〜４のいずれかに記載の文字板構造。
【請求項７】
請求項１に記載の文字板構造を機器本体に備えていることを特徴とする指針式機器。
【発明の詳細な説明】
【技術分野】
【０００１】
この発明は、時計などの電子機器や計器類に用いられる文字板構造および指針式機器に関する。
【背景技術】
【０００２】
例えば、時計に用いられる文字板構造においては、特許文献１に記載されているように、文字板の上方を運針する指針の一端部に時刻指示部を設け、他端部に機能指示部を設け、モード選択スイッチで通常運針モードを選択した際に、文字板の外周に設けられた時刻表示部を指針の時刻指示部が指示し、モード選択スイッチで機能表示モードを選択した際に、文字板の所定箇所に設けられた機能表示部を指針の機能指示部が指示するように構成されたものが知られている。
【先行技術文献】
【特許文献】
【０００３】
【特許文献１】特開２００４−２２６３５０
【発明の概要】
【発明が解決しようとする課題】
【０００４】
しかしながら、このような従来の文字板構造では、モード選択スイッチで通常運針モードと機能表示モードとのいずれを選択したかを、使用者が覚えていなければ、指針が時刻を指示しているのか、あるいは機能表示を指示しているのか、判断することができず、このため指針による指示を誤認することがあるという問題がある。
【０００５】
この発明が解決しようとする課題は、針部材による指示の誤認を防ぐことができる文字板構造および指針式機器を提供することである。
【課題を解決するための手段】
【０００６】
この発明は、上記課題を解決するために、次のような構成要素を備えている。
請求項１に記載の発明は、所定箇所に広開口部が設けられた第１文字板と、この第１文字板の下側に配置されて前記広開口部から露出する箇所に機能表示部が表示された第２文字板と、前記第１文字板と前記第２文字板との間に位置した状態で設けられて前記第２文字板の前記機能表示部に沿って運針する針部材とを備え、
前記機能表示部は、前記針部材の回転中心部を中心として所定の角度範囲で形成された表示領域と、この表示領域における外周側に設けられた外周目盛部と、この外周目盛部の内周側に設けられた内周目盛部とを有し、前記針部材は、その一端部側に設けられて前記内周目盛部に沿って移動する目盛開口部と、この目盛開口部にその内側に向けて突出して設けられ、且つ前記目盛開口部内に位置する一部の前記内周目盛部を指示する内周指示部と、他端部に設けられて前記外周目盛部を指示する外周指示部とを有していることを特徴とする文字板構造である。
【０００７】
請求項２に記載の発明は、前記針部材が、前記内周指示部側の前記一端部に設けられて前記外周目盛部の一部を隠しながら移動する外周目盛隠し部を有していることを特徴とする請求項１に記載の文字板構造である。
【０００８】
請求項３に記載の発明は、前記針部材が、前記外周指示部側の前記他端部に設けられて前記内周目盛部の一部を隠しながら移動する内周目盛隠し部を有していることを特徴とする請求項１または２に記載の文字板構造である。
【０００９】
請求項４に記載の発明は、前記機能表示部の前記表示領域が、前記針部材の前記内周指示部と前記外周指示部との一方で前記機能表示部を指示している状態のときに、前記内周指示部と前記外周指示部との他方が前記第１文字板の下側に位置して隠れる範囲で設けられていることを特徴とする請求項１〜３のいずれかに記載の文字板構造である。
【００１０】
請求項５に記載の発明は、前記外周目盛部と前記内周目盛部とが、同じ種類の機能を表す目盛を分割して連続させた状態で表示していることを特徴とする請求項１〜４のいずれかに記載の文字板構造である。
【００１１】
請求項６に記載の発明は、前記外周目盛部と前記内周目盛部とが、異なる種類の機能を表す目盛をそれぞれ独立して表示していることを特徴とする請求項１〜４のいずれかに記載の文字板構造である。
【００１２】
請求項７に記載の発明は、請求項１に記載の文字板構造を機器本体に備えていることを特徴とする指針式機器である。
【発明の効果】
【００１３】
この発明によれば、第１文字板と第２文字板との間に針部材が位置し、この針部材の一端部が、第１文字板の広開口部から露出した状態で、第２文字板の機能表示部に沿って移動する際に、針部材の一端部に設けられた目盛開口部が内周目盛部に沿って移動することにより、この内周目盛部の一部を目盛開口部内に位置させて露出させることができ、この露出した一部の内周目盛部を内周指示部が指示することにより、この内周指示部で指示された内周目盛部を読み取ることができる。
【００１４】
また、針部材の他端部が、第１文字板の広開口部から露出した状態で、第２文字板の機能表示部に沿って移動する際には、針部材の他端部に設けられた外周指示部が外周目盛部を指示することにより、この外周指示部で指示された外周目盛部をそのまま読み取ることができる。このため、針部材が内周指示部と外周指示部とを備えていても、また機能表示部が外周目盛部と内周目盛部とを備えていても、針部材による機能表示部に対する指示の誤認を確実に且つ容易に防ぐことができる。
【図面の簡単な説明】
【００１５】
【図１】この発明を腕時計に適用した実施形態１の拡大斜視図である。
【図２】図１のＡ−Ａ矢視における拡大断面図である。
【図３】図２の腕時計ケースから文字板を含む時計モジュールを取り出して示した拡大正面図である。
【図４】図３における上文字板の広開口部付近に位置する機能表示部を示した要部の拡大斜視図である。
【図５】図４の副針を示した拡大正面図である。
【図６】図４において副針が機能表示部の内周目盛部を指示した状態を示した要部の拡大正面図である。
【図７】図４において副針が機能表示部の外周目盛部を指示した状態を示した要部の拡大正面図である。
【図８】図４において副針が機能表示部の内周目盛部における端部の目盛を指示した状態を示した要部の拡大正面図である。
【図９】この発明を腕時計に適用した実施形態２において副針が機能表示部の内周目盛部を指示した状態を示した要部の拡大正面図である。
【図１０】図９において副針が機能表示部の外周目盛部を指示した状態を示した要部の拡大正面図である。
【図１１】この発明を腕時計に適用した実施形態３において副針が機能表示部の内周目盛部を指示した状態を示した要部の拡大正面図である。
【図１２】図１１において副針が機能表示部の外周目盛部を指示した状態を示した要部の拡大正面図である。
【図１３】この発明を腕時計に適用した実施形態４における副針を示した拡大正面図である。
【図１４】図１３の副針が機能表示部の内周目盛部を指示した状態を示した要部の拡大正面図である。
【図１５】図１３の副針が機能表示部の外周目盛部を指示した状態を示した要部の拡大正面図である。
【図１６】実施形態４の変形例における副針を示した拡大正面図である。
【図１７】図１６の副針が機能表示部の内周目盛部を指示した状態を示した要部の拡大正面図である。
【図１８】図１６の副針が機能表示部の外周目盛部を指示した状態を示した要部の拡大正面図である。
【発明を実施するための形態】
【００１６】
（実施形態１）
以下、図１〜図８を参照して、この発明を指針式の腕時計に適用した実施形態１について説明する。
この腕時計は、図１および図２に示すように、時計本体を構成している腕時計ケース１を備えている。この腕時計ケース１の上部外周にはベゼル２が取り付けられており、この腕時計ケース１の上側開口部には時計ガラス３がパッキン３ａを介して取り付けられている。また、この腕時計ケース１の内部には、時計モジュール４が収容されており、この腕時計ケース１の下部には裏蓋５が防水リング５ａを介して取り付けられている。さらに、この腕時計ケース１の外側面には、複数の押釦スイッチ６が設けられている。
【００１７】
時計モジュール４は、図２に示すように、ハウジング４ａを備えている。このハウジング４ａ内には、時計ムーブメント７が設けられている。また、このハウジング４ａの上面には、下文字板８が配置されていると共に、この下文字板８の上方には、上文字板９がリング状のスペーサ部材１０を介して配置されている。この場合、スペーサ部材１０は、ハウジング４ａの上面における外周部に配置されている。このスペーサ部材１０の上部における内周側には、上文字板９が配置されており、このスペーサ部材１０の上部における外周部には、リング状の下見切部材１１が設けられている。また、時計ガラス３の下面における外周部には、リング状の上見切部材１２が設けられている。
【００１８】
上文字板９は、図３に示すように、全体がほぼ円形の円板状に形成されている。この上文字板９の外周部には、時字１３が１時から１２時の各位置にそれぞれ対応して設けられている。また、この上文字板９の外周側に位置する下見切部材１１の上面には、図３に示すように、１〜６０の目盛を表すストップウオッチ・アラーム目盛部１１ａが時字１３に対応して表示されており、この下見切部材１１の上部外周側に位置する上見切部材１２には、世界の各都市を表すワールドタイム表示部１２ａが時字１３に対応して表示されている。
【００１９】
この場合、上文字板９のほぼ中心部には、図１〜図３に示すように、時計ムーブメント７によって駆動される指針軸１４が下文字板８と上文字板９との各軸挿入孔９ａを通して上方に突出した状態で設けられている。この指針軸１４の上部には、秒針１５ａ、分針１５ｂ、時針１５ｃなどの指針１５が取り付けられている。この指針１５は、上文字板９の上方を運針して上文字板９の時字１３を指示することにより、現在時刻を指示するように構成されている。
【００２０】
また、上文字板９の所定箇所、つまり２時付近から４時付近までの箇所には、図３に示すように、円形状の第１補助機能表示部１６が設けられている。この第１補助機能表示部１６の中心部には、図２に示す時計ムーブメント７によって駆動される補助軸１７が上文字板９の上方に突出した状態で設けられている。この補助軸１７の上部には、補助針１８が取り付けられている。この補助針１８は、上文字板９の第１補助機能表示部１６の上方を運針して第１補助機能表示部１６に設けられたワールドタイム機能（デュアルタイム機能）における世界の各都市のうち、選択されたいずれかの都市の時刻を指示するように構成されている。
【００２１】
ところで、上文字板９には、図１〜図４に示すように、５時付近から１０時付近において、その外周部からほぼ中心部にかけてほぼ半円形状をなす広開口部２０が設けられている。この広開口部２０に対応する下文字板８の箇所には、図１〜図４に示すように、機能表示部２１、第２補助機能表示部２２、および日付表示部２３が設けられている。機能表示部２１は、図３および図４に示すように、２４時間の時間表示を表すものであり、上文字板９の下側に位置する下文字板８における６時側の箇所に設けられている。
【００２２】
すなわち、この機能表示部２１は、図１〜図４に示すように、後述する副針２４の回転中心部を中心として所定の角度範囲で表示領域２１ａ（図４に斜線で示す部分）がほぼ半円形状に形成されている。この表示領域２１ａ内における外周側には、図３および図４に示すように、外周目盛部２５が表示領域２１ａの円弧に沿って設けられており、この外周目盛部２５の内周側には、内周目盛部２６が表示領域２１ａの円弧に沿って設けられている。
【００２３】
この場合、外周目盛部２５と内周目盛部２６とには、同じ種類の目盛、例えば２４時間の各時間を表す目盛が外周目盛部２５と内周目盛部２６との両者に連続した状態で表示されている。すなわち、外周目盛部２５には、図６〜図８に示すように、時計回りに、２４時（０時）〜１１時までの各時間の目盛が表示されており、内周目盛部２６には、時計回りに、１２時〜２３時までの各時間の目盛が表示されている。
【００２４】
また、上文字板９における副針２４の回転中心部に対応する箇所には、図３および図４に示すように、ほぼ半円形状の支持突起部２７が広開口部２０内に位置する機能表示部２１側に向けて突出して設けられている。この支持突起部２７の中心部には、図２に示すように、時計ムーブメント７によって駆動される副針軸２８が回転自在に取り付けられており、この副針軸２８には、副針２４が取り付けられている。この副針２４は、図２に示すように、上文字板９と下文字板８との間に位置した状態で、図３および図４に示すように、下文字板８の機能表示部２１上を運針するように構成されている。
【００２５】
この場合、副針２４は、図５に示すように、ほぼ三角形状をなす２つの枠状部の角部同士を副針軸２８に取り付けられる副針２４の回転中心部で連結した構成になっている。この副針２４の一端部側(図５では左端部側)の枠状部には、図４〜図６に示すように、内周目盛部２６の一部が位置して露出しながら内周目盛部２６上に沿って移動するほぼ三角形状の第１開口部３０が設けられている。
【００２６】
この第１開口部３０には、図４〜図６に示すように、その内側に向けて突出して第１開口部３０内に位置する一部の内周目盛部２６を指示する内周指示部３１が設けられている。また、この第１開口部３０の外周側（図５では左端部側）の先端部には、外周目盛部２５の一部を隠しながら移動する外周目盛隠し部３２が設けられている。
【００２７】
また、この副針２４の他端部側（図５では右端部側）の枠状部には、図５および図７に示すように、内周目盛部２６の内側に沿って移動するほぼ三角形状の第２開口部３３が設けられている。この第２開口部３３の先端側（図５では右端部側）には、内周目盛部２６の一部を隠しながら移動する内周目盛隠し部３４が設けられている。この内周目盛隠し部３４の外周部（図５では右端部）には、外周目盛部２５を指示する外周指示部３５が外周側に向けて突出して設けられている。
【００２８】
この場合、副針２４は、その内周指示部３１と外周指示部３５との一方が上文字板９の広開口部２０内に位置して機能表示部２１上を運針している状態のときに、内周指示部３１と外周指示部３５との他方が上文字板９の下側に位置して隠れるように構成されている。すなわち、機能表示部２１の表示領域２１ａは、副針２４の回転中心部を中心とするほぼ半円形状に形成されているが、外周目盛部２５と内周目盛部２６との各端部が対角線上において互いに対向せず、１８０°の開き角度よりも約１目盛分だけ狭い角度になる範囲で形成されている。
【００２９】
これにより、副針２４は、図８に示すように、内周指示部３１が機能表示部２１の内周目盛部２６における一端部の目盛、例えば１１時の目盛を指示している状態のときに、外周指示部３５が上文字板９の下側に位置して隠れ、逆に外周指示部３５が機能表示部２１の外周目盛部２５における他端部の目盛、例えば２４時の目盛を指示している状態のときに、内周指示部３１が上文字板９の下側に位置して隠れるように構成されている。
【００３０】
ところで、上文字板９の広開口部２０から露呈する下文字板８上に設けられた第２補助機能表示部２２は、図２および図３に示すように、モードや曜日、および1/20秒の秒時間などの複数の機能を表す部分であり、下文字板８上に設けられたリング状の表示枠２２ａと、この表示枠２２ａ内で回転する円板状の回転板２２ｂとを有している。表示枠２２ａは、図３に示すように、その上面にアラーム（ＡＬＭ）、サマータイム設定（ＤＳＴ）、サマータイム解除（ＳＴＤ）、タイマー（ＴＭＲ）などの各種のモード、および日曜日（ＳＵ）〜土曜日（ＳＡ）までの各曜日、並びに1/20秒の秒時間を指示する秒指示マーク３６ａが表示されている。
【００３１】
また、回転板２２ｂは、図２および図３に示すように、時計ムーブメント７によって駆動される副針軸３７が下文字板８の軸挿入孔９ｃを通して下文字板８の上方に突出し、この突出した副針軸３７の上部に取り付けられて回転するように構成されている。この場合、回転板２２ｂには、図３に示すように、その上面の所定位置（図３では０秒位置）に各種のモードおよび各曜日のいずれかを指示するための針形状の機能指示マーク３６ｂが表示されていると共に、回転板２２ｂの円周に沿って０〜１０の秒目盛が表示されている。
【００３２】
これにより、第２補助機能表示部２２は、押釦スイッチ６の操作によってモードや曜日、または1/20秒の秒時間などの各機能のうち、いずれかの機能が選択されると、その選択された機能に応じて回転板２２ｂが回転することにより、選択された機能を指示するように構成されている。例えば、押釦スイッチ６の操作によって1/20秒の秒時間を表す機能が選択された場合には、回転板２２ｂが回転しながら０〜１０の秒目盛のいずれかの目盛が表示枠２２ａの秒指示マーク３６ａで指示されることにより、1/20秒の秒時間が分かる。
【００３３】
また、押釦スイッチ６の操作によってモードおよび曜日の機能が選択された場合には、その選択された機能に応じて回転板２２ｂが回転して停止することにより、例えば機能指示マーク３６ｂが表示枠２２ａのモードおよび曜日の各機能表示のいずれかを指示し、これにより選択されている機能が分かるように構成されている。また、日付表示部２３は、図３に示すように、下文字板８に設けられた四角形状の窓部２３ａに、日車などの表示板に表示された日付表示２３ｂが対応することにより、日付が分かるように構成されている。
【００３４】
次に、この腕時計を使用する場合について説明する。
通常は、図３において、秒針１５ａ、分針１５ｂ、時針１５ｃなどの指針１５が上文字板９の上方を運針して、上文字板９の上面外周に設けられた時字１３を指示することにより、現在時刻を知ることができる。このときには、上文字板９に設けられた第１補助機能表示部１６で世界の各都市のうち、選択された都市の時刻を知ることができるほか、上文字板９の広開口部２０から露出する箇所の下文字板８に設けられた機能表示部２１、第２補助機能表示部２２、および日付機能表示部２３によって各機能が表示される。
【００３５】
すなわち、機能表示部２１では、図３に示すように、副針２４の指示により２４時間表示における時間を知ることができる。また、第２補助機能表示部２２では、回転板２２ｂの機能指示マーク３６ｂの指示により曜日を知ることができるほか、押釦スイッチ６を操作して機能を切り替えることにより、アラームやサマータイムなどの各モードにおける時間や、1/20秒の秒時間を知ることができる。また、日付機能表示部２３では、通常運針の状態で、下文字板８に設けられた四角形状の窓部２３ａに、日車などの表示板に表示された日付表示２３ｂが対応することにより、日付を知ることができる。
【００３６】
ところで、機能表示部２１において副針２４が２４時間で１回転することにより、副針２４の指示によって２４時間表示における時間を知る場合には、図３および図６に示すように、副針２４が副針軸２７を中心に回転し、その一端部側（図６では左端部側）が上文字板９の広開口部２０から露出すると、この一端部側に設けられた第１開口部３０が機能表示部２１の内周目盛部２６に沿って移動すると共に、この第１開口部３０に設けられた内周指示部３１が内周目盛部２６の目盛を指示することにより、１２時〜２３時までの間における時間を知ることができる。
【００３７】
すなわち、副針２４の一端部側（図５では左端部側）に設けられた第１開口部３０が機能表示部２１の内周目盛部２６に沿って移動する際には、第１開口部３０内に内周目盛部２６の一部が位置した状態で移動するので、内周目盛部２６の一部を第１開口部３０から露出させることができ、この第１開口部３０から露出した一部の内周目盛部２６の目盛を第１開口部３０に設けられた内周指示部３１が指示するので、この内周指示部３１の指示により１２時〜２３時までの間における時間を正確に且つ容易に知ることができる。
【００３８】
このときには、内周指示部３１側に位置する副針２４の一端部（図５では左端部）に設けられた外周目盛隠し部３２が外周目盛部２５の一部を隠しながら移動するので、これによっても、副針２４による機能表示部２１に対する指示の誤認を防ぐことができる。また、副針２４の他端部側（図５では右端部側）に設けられた外周指示部３５および内周目盛隠し部３４が機能表示部２１の表示領域２１ａ外である上文字板９の下側に位置して隠れているので、副針２４に内周指示部３１と外周指示部３５とが設けられていても、副針２４による機能表示部２１に対する指示の誤認を確実に防ぐことができる。
【００３９】
また、副針２４が副針軸２７を中心に回転し、その他端部側(図５では右端部側)が上文字板９の広開口部２０から露出して運針する場合には、図７に示すように、他端部側に設けられた内周目盛隠し部３４が機能表示部２１の内周目盛部２６の一部を隠しながら内周目盛部２６に沿って移動すると共に、この内周目隠し部３４に設けられた外周指示部３５が外周目盛部２５の目盛を指示することにより、０時(２４時)〜１１時までの間における時間を正確に且つ容易に知ることができる。
【００４０】
このときには、副針２４の他端部側に設けられた内周目盛隠し部３４が内周目盛部２６の一部を隠しながら移動するので、これによっても、副針２４による機能表示部２１に対する指示の誤認を防ぐことができる。この場合にも、副針２４の一端部側に設けられた内周指示部３１、目盛開口部３０、および外周目盛隠し部３２が機能表示部２１の表示領域２１ａ外である上文字板９の下側に位置して隠れているので、副針２４に内周指示部３１と外周指示部３５とが設けられていても、副針２４による機能表示部２１に対する指示の誤認を確実に防ぐことができる。
【００４１】
また、副針２４の内周指示部３１が、図８に示すように、機能表示部２１の内周目盛部２６における一端部の目盛、例えば２３時を指示している状態のときには、外周指示部３５が機能表示部２１の表示領域２１ａ外である上文字板９の下側に位置して隠れる。この状態で、１時間が経過すると、内周指示部３１が機能表示部２１の表示領域２１ａ外である上文字板９の下側に移動して隠れるが、外周指示部３５が上文字板９の広開口部２０内に移動して現れ、機能表示部２１の外周目盛部２５における他端部の目盛、例えば２４時を指示する。
【００４２】
このため、機能表示部２１に対する内周指示部３１の指示と、外周指示部３５の指示とが途切れることなく、連続した状態で確実に且つ円滑に切り替わる。これにより、機能表示部２１の２４時間表示が外周目盛部２５と内周目盛部２６との分割されて表示されていても、副針２４の内周指示部３１と外周指示部３５とで、２４時間の時間表示を途切れることなく、円滑に連続させて指示することができる。
【００４３】
このように、この腕時計によれば、上文字板９と下文字板８との間に副針２４が位置し、この副針２４の一端部に設けられた内周指示部３１が、上文字板９の広開口部２０から露出した状態で、下文字板８の機能表示部２１に沿って運針する際に、第１開口部３０が内周目盛部２６に沿って移動することにより、この第１開口部３０内に内周目盛部２６の一部を位置させて露出させることができ、この露出した一部の内周目盛部２６の目盛を内周指示部３１が指示することにより、この内周指示部３１で指示された内周目盛部２６の目盛を正確に且つ容易に読み取ることができる。
【００４４】
また、副針２４の他端部に設けられた外周指示部３５が、上文字板９の広開口部２０から露出した状態で、下文字板８の機能表示部２１に沿って運針する際には、外周指示部３５が外周目盛部２５を指示しながら移動することにより、外周指示部３５で指示された外周目盛部２５の目盛をそのまま読み取ることができる。このため、副針２４が内周指示部３１と外周指示部３５とを備えていても、また機能表示部２１が外周目盛部２５と内周目盛部２６とを備えていても、副針２４による機能表示部２１に対する指示の誤認を確実に且つ容易に防ぐことができる。
【００４５】
この場合、副針２４は、内周指示部３１が設けられた一端部側に、外周目盛部２５の一部を隠しながら移動する外周目盛隠し部３２が設けられていることにより、副針２４の内周指示部３１が、上文字板９の広開口部２０から露出した状態で、下文字板８の機能表示部２１に沿って運針する際に、外周目盛隠し部３２が外周目盛部２５の一部を隠しながら運針するので、これによっても、内周指示部３１で指示された内周目盛部２６を誤認せずに正確に読み取ることができる。
【００４６】
また、副針２４は、外周指示部３５が設けられた他端部側に、内周目盛部２６の一部を隠しながら移動する内周目盛隠し部３４が設けられていることにより、副針２４の外周指示部３５が、上文字板９の広開口部２０から露出した状態で、下文字板８の機能表示部２１に沿って運針する際に、内周目盛隠し部３４が内周目盛部２６の一部を隠しながら運針するので、これによっても、外周指示部３５で指示された外周目盛部２５を誤認せずに正確に読み取ることができる。
【００４７】
さらに、機能表示部２１の表示領域２１ａは、副針２４の内周指示部３１と外周指示部３５との一方が機能表示部２１を指示している状態のときに、内周指示部３１と外周指示部３５との他方が、機能表示部２１の表示領域２１ａ外である上文字板９の下側に位置して隠れるような範囲で設けられていることにより、副針２４が内周指示部３１と外周指示部３５とを備えていても、副針２４による機能表示部２１に対する指示の誤認を確実に且つ容易に防ぐことができる。
【００４８】
また、外周目盛部２５と内周目盛部２６とが、同じ種類の機能を表す目盛を連続させた状態、つまり外周目盛部２５に０時（２４時）〜１１時までの時間目盛を表示し、且つ内周目盛部２６に１２時〜２３時までの時間目盛を表示していることにより、機能表示部２１に対する内周指示部３１の指示と外周指示部３５の指示とを途切れることなく、連続させた状態で切り替えることができる。これにより、内周指示部３１と外周指示部３５とで、２４時間の時間表示を途切れることなく、円滑に連続させて指示することができる。
【００４９】
（実施形態２）
次に、図９および図１０を参照して、この発明を適用した腕時計の実施形態２について説明する。なお、図１〜図８に示された実施形態１と同一部分には同一符号を付して説明する。
この腕時計は、機能表示部４０の機能表示が実施形態１と異なる構成であり、これ以外は実施形態１とほぼ同じ構成になっている。
【００５０】
すなわち、この機能表示部４０は、実施形態１と同様、上文字板９の下側に配置されて上文字板８の広開口部２０に対応する下文字板８の箇所に設けられている。この場合にも、機能表示部４０は、副針２４の回転中心部を中心として所定の角度範囲で表示領域４０ａ（図９および図１０に斜線で示す部分）がほぼ半円形状に形成されている。この表示領域４０ａ内における外周側には、図９および図１０に示すように、外周目盛部４１が表示領域４０ａの円弧に沿って設けられており、この外周目盛部４１の内周側には、内周目盛部４２が表示領域４０ａの円弧に沿って設けられている。
【００５１】
これら外周目盛部４１と内周目盛部４２とには、異なる種類の機能がそれぞれ表示されている。すなわち、外周目盛部４１には、図９および図１０に示すように、ストップウオッチ（ＳＴＷ）、タイマー（ＴＲＭ）、ワールドタイム（ＷＴ）、アラーム１（ＡＬＭ１）、アラーム２（ＡＬＭ２）の各機能が表示領域４０ａの円弧に沿って表示されている。また、内周目盛部４２は、３０分のタイマー機能を表す部分であり、０分〜３０分の分目盛が表示領域４０ａの円弧に沿って表示されている。
【００５２】
副針２４は、実施形態１と同様、ほぼ三角形状をなす２つの枠状部の角部同士を、副針軸２８に取り付けられる副針２４の回転中心部で連結した構成になっている。この場合にも、副針２４の一端部は、図９に示すように、内周目盛部４２の一部を露出させながら内周目盛部４２上に沿って移動する第１開口部３０と、この第１開口部３０に設けられてその内側に位置する一部の内周目盛部４２を指示する内周指示部３１と、外周目盛部４１の一部を隠しながら移動する外周目盛隠し部３２とを備えている。
【００５３】
また、この副針２４の他端部は、図１０に示すように、内周目盛部４２の内側に沿って移動する第２開口部３３と、内周目盛部４２の一部を隠しながら移動する内周目盛隠し部３４と、外周目盛部４１を指示する外周指示部３５とを備えている。この場合にも、副針２４は、その内周指示部３１と外周指示部３５との一方が上文字板９の広開口部２０内に位置して機能表示部４０上を運針している状態のときに、内周指示部３１と外周指示部３５との他方が上文字板９の下側に位置して隠れるように構成されている。
【００５４】
次に、この腕時計を使用する場合について説明する。
通常は、実施形態１と同様、秒針１５ａ、分針１５ｂ、時針１５ｃなどの指針１５が上文字板９の上方を運針して、上文字板９の上面外周に設けられた時字１３を指示することにより、現在時刻を知ることができる。このときには、上文字板９に設けられた第１補助機能表示部１６で世界の各都市のうち、選択された都市の時刻を知ることができるほか、上文字板９の広開口部２０から露出する箇所の下文字板８に設けられた機能表示部４０、第２補助機能表示部２２、および日付機能表示部２３によって各機能が表示される。
【００５５】
すなわち、機能表示部４０では、押釦スイッチ６の操作によって、図９および図１０に示すように、副針２４の指示により外周目盛部４１と内周目盛部４２とのいずれかに表示された機能を知ることができる。この場合、押釦スイッチ６が操作されて３０分のタイマー機能が選択されたときには、図９に示すように、機能表示部４０の内周目盛部４２に沿って副針２４の第１開口部３０が移動するので、内周目盛部４２の一部が第１開口部３０内に位置して露出しながら移動し、この状態で第１開口部３０に設けられた内周指示部３１が第１開口部３０から露出する一部の内周目盛部４２の目盛を指示するので、内周指示部３１の指示によりタイマー時間を正確に知ることができる。
【００５６】
このときには、内周指示部３１側に位置する副針２４の一端部に設けられた外周目盛隠し部３２が外周目盛部４１の一部を隠しながら移動するので、機能表示部４０に外周目盛部４１と内周目盛部４２とが設けられていても、副針２４による機能表示部４０に対する指示の誤認を確実に防ぐことができる。また、副針２４の他端部側に設けられた外周指示部３５および内周目盛隠し部３４が、機能表示部２１の表示領域２１ａ外である上文字板９の下側に位置して隠れているので、副針２４に内周指示部３１と外周指示部３５とが設けられていても、副針２４による機能表示部４０に対する指示の誤認を確実防ぐことができる。
【００５７】
また、押釦スイッチ６が操作されて機能表示部４０に表示されたストップウオッチ（ＳＴＷ）、タイマー（ＴＲＭ）、ワールドタイム（ＷＴ）、アラーム１（ＡＬＭ１）、アラーム２（ＡＬＭ２）の各機能のうち、いずれかの機能を選択したときには、図１０に示すように、副針２４が副針軸２７を中心に回転し、その他端部側（図１０では左端部側）が上文字板９の広開口部２０から露出する。
【００５８】
このときには、副針２４の他端部側に設けられた内周目盛隠し部３４が機能表示部４０の内周目盛部４２の一部を隠しながら内周目盛部４２に沿って移動し、この内周目盛隠し部３４に設けられた外周指示部３５が外周目盛部４１の目盛を指示して停止することにより、ストップウオッチ（ＳＴＷ）、タイマー（ＴＲＭ）、ワールドタイム（ＷＴ）、アラーム１（ＡＬＭ１）、アラーム２（ＡＬＭ２）の各機能のうち、いずれかの機能が指示されることにより、選択された機能を知ることができる。
【００５９】
このときにも、副針２４の他端部側に設けられた内周目盛隠し部３４が内周目盛部４２の一部を隠しているので、機能表示部４０に外周目盛部４１と内周目盛部４２とが設けられていても、副針２４による機能表示部４０に対する指示の誤認を確実に防ぐことができる。この場合にも、副針２４の一端部側に設けられた内周指示部３１、目盛開口部」３０、および外周目盛隠し部３２が、機能表示部２１の表示領域２１ａ外である上文字板９の下側に位置して隠れているので、副針２４に内周指示部３１と外周指示部３５とが設けられていても、副針２４による機能表示部４０に対する指示の誤認を確実に防ぐことができる。
【００６０】
このように、この腕時計においても、実施形態１と同様、上文字板９と下文字板８との間に副針２４が位置し、この副針２４の一端部に設けられた内周指示部３１が、上文字板９の広開口部２０から露出した状態で、下文字板８の機能表示部４０に沿って運針する際に、第１開口部３０が内周目盛部４２に沿って移動することにより、この第１開口部３０内に内周目盛部４２の一部の目盛を位置させて露出させることができ、この露出した一部の内周目盛部４２の目盛を内周指示部３１が指示することにより、この内周指示部３１で指示された内周目盛部４２の目盛を正確に且つ容易に読み取ることができる。
【００６１】
また、副針２４の他端部に設けられた外周指示部３５が、上文字板９の広開口部２０から露出した状態で、下文字板８の機能表示部４０に沿って運針した際には、外周指示部３５が外周目盛部４１を指示して停止することにより、外周指示部３５で指示された外周目盛部４１の目盛をそのまま読み取ることができる。このため、副針２４が内周指示部３１と外周指示部３５とを備えていても、また機能表示部４０が外周目盛部４１と内周目盛部４２とを備えていても、副針２４による機能表示部４０に対する指示の誤認を確実に且つ容易に防ぐことができる。
【００６２】
この場合、外周目盛部４１と内周目盛部４２とは、異なる種類の機能を表す目盛がそれぞれ独立した状態、例えば外周目盛部４２にストップウオッチ（ＳＴＷ）、タイマー（ＴＲＭ）、ワールドタイム（ＷＴ）、アラーム１（ＡＬＭ１）、アラーム２（ＡＬＭ２）の各機能が表示され、且つ内周目盛部４２に０分〜３０分の分目盛が表示されていることにより、外周指示部３５によって外周目盛部４１の各機能のいずれか一つの機能を指示することができると共に、内周指示部３１によって３０分のタイマー時間を指示することができ、これにより、より多くの機能を指示表示することができる。
【００６３】
（実施形態３）
次に、図１１および図１２を参照して、この発明を適用した腕時計の実施形態３について説明する。この場合には、図９および図１０に示された実施形態２と同一部分に同一符号を付して説明する。
この腕時計は、機能表示部４５の表示領域４５ａが実施形態２と異なる構成であり、これ以外は実施形態２とほぼ同じ構成になっている。
【００６４】
すなわち、この機能表示部４５は、実施形態２と同様、上文字板９の下側に配置されて上文字板８の広開口部２０に対応する下文字板８の箇所に設けられている。この場合にも、機能表示部４５は、図１１および図１２に示すように、副針２４の回転中心部を中心として所定の角度範囲で表示領域４５ａ（図１１および図１２に斜線で示す部分）がほぼ半円形状に形成され、この表示領域４５ａ内における外周側に設けられた外周目盛部４６と、この外周目盛部４６の内周側に設けられた内周目盛部４７とを備えている。
【００６５】
外周目盛部４６は、図１１および図１２に示すように、３０分のタイマー機能を表す部分であり、副針２４の回転中心部を中心とする円弧に沿ってほぼ１８０°の角度の範囲で０分〜３０分の分目盛が表示されている。また、内周目盛部４７は、ストップウオッチ（ＳＴＷ）、ワールドタイム（ＷＴ）、アラーム（ＡＬＭ）の各機能が副針２４の回転中心部を中心とする円弧に沿ってほぼ９０°の角度の範囲で表示されている。
【００６６】
この場合、内周目盛部４７は、外周目盛部４６の中間部を境にして、その両側にそれぞれほぼ４５°の角度の範囲で設けられている。また、上文字板９には、内周目盛部４７の両側に位置し、且つ外周目盛部４６の内周に沿って突出する一対の目隠し突起部４８が設けられている。この一対の目隠し突起部４８は、内周目盛部４７を指示する副針２４の内周指示部３１が内周目盛部４７の領域外に位置した際に、その副針２４に設けられた内周指示部３１を上文字板９の下側に隠すように構成されている。
【００６７】
また、副針２４は、実施形態１と同様、ほぼ三角形状をなす２つの枠状部の角部同士を副針軸２８に取り付けられる副針２４の回転中心部で連結した構成になっている。この副針２４の一端部は、内周目盛部４７の一部を露出させながら内周目盛部４７上に沿って移動する第１開口部３０と、この第１開口部３０に設けられてその内側に位置する一部の内周目盛部４７を指示する内周指示部３１と、外周目盛部４６の一部を隠しながら移動する外周目盛隠し部３２とを備えている。また、この副針２４の他端部は、内周目盛部４７の内側に沿って移動する第２開口部３３と、内周目盛部４７の一部を隠しながら移動する内周目盛隠し部３４と、外周目盛部４６を指示する外周指示部３５とを備えている。
【００６８】
このような腕時計においても、実施形態２と同様、上文字板９と下文字板８との間に副針２４が位置し、この副針２４の外周指示部３５が、上文字板９の広開口部２０から露出した状態で、下文字板８の機能表示部４５に沿って運針する際に、図１２に示すように、外周指示部３５が外周目盛部４６を指示しながら移動することにより、外周指示部３５で指示された外周目盛部４６の目盛をそのまま読み取ることができる。
【００６９】
また、副針２４の内周指示部４７が、上文字板９の広開口部２０から露出した状態で、下文字板８の機能表示部４５に沿って運針する際には、図１１に示すように、第１開口部３０が内周目盛部４７に沿って移動して停止することにより、この第１開口部３０内に位置して露出する一部の内周目盛部４７の目盛を内周指示部３１が指示することにより、この内周指示部３１で指示された内周目盛部４７の目盛を読み取ることができる。
【００７０】
この場合、内周目盛部４７は、その表示領域４５ａが外周目盛部４６のほぼ半分の大きさに形成され、且つ外周目盛部４６の中間部を境にして、その両側にそれぞれほぼ４５°の角度の範囲で設けられていることにより、外周指示部３５が外周目盛部４６を指示しながら移動する際、内周目盛部４７と外周目盛部４６とが共存する範囲を、実施形態２に比べて狭くすることができる。
【００７１】
これにより、内周目盛部４７と外周目盛部４６とが共存する狭い範囲の内周目盛部４７を内周目盛隠し部３４がほぼ完全に隠しながら移動するので、外周指示部３５で指示された外周目盛部４６の目盛を確実に且つ容易に読み取ることができる。このため、副針２４が内周指示部３１と外周指示部３５とを備えていても、また機能表示部４５が外周目盛部４６と内周目盛部４７とを備えていても、実施形態２に比べて、副針２４による機能表示部４５に対する指示の誤認を、より確実に防ぐことができる。
【００７２】
（実施形態４）
次に、図１３〜図１５を参照して、この発明を適用した腕時計の実施形態４について説明する。この場合には、図１〜図８に示された実施形態１と同一部分に同一符号を付して説明する。
この腕時計は、副針５０の形状が実施形態１と異なる構成であり、これ以外は実施形態１とほぼ同じ構成になっている。
【００７３】
すなわち、副針５０は、ほぼ三角形状の枠状部５０ａとほぼ三角形状の平板部５０ｂとを有し、これら枠状部５０ａの角部と平坦部５０ｂの角部とを副針５０の回転中心部で連結し、この回転中心部が副針軸２８に取り付けられた状態で、実施形態１と同様、上文字板９と下文字板８との間で回転するように構成されている。これにより、副針５０は、その一端部側（図１３では左端部側）がほぼ三角形状の枠状部５０ａに形成され、他端部側（図１３では右端部側）がほぼ三角形状の平板部５０ｂに形成されている。
【００７４】
この場合、副針５０の一端部側（図１３では左端部側）の枠状部５０ａには、実施形態１と同様、内周目盛部２６の一部を露出させながら内周目盛部２６に沿って移動する第１開口部３０が設けられている。この第１開口部３０には、その内側に向けて突出してその内側に位置する一部の内周目盛部２６を指示する内周指示部３１が設けられている。この第１開口部３０の外周部には、外周目盛部２５の一部を隠しながら移動する外周目盛隠し部３２が設けられている。
【００７５】
また、この副針５０の他端部側（図１３では右端部側）の平板部５０ｂには、図１３および図１５に示すように、実施形態１の第２開口部３３が設けられておらず、内周目盛部２６の一部を完全に隠しながら移動する内周目盛隠し部５１が設けられている。この内周目盛隠し部５１の外周部には、図１５に示すように、外周目盛部２５を指示する外周指示部５２が設けられている。
【００７６】
このような腕時計によれば、実施形態１と同様、上文字板９と下文字板８との間に副針５０が位置し、この副針５０の一端部に設けられた内周指示部３１が、上文字板９の広開口部２０から露出した状態で、下文字板８の機能表示部２１に沿って運針する際に、図１４に示すように、第１開口部３０が内周目盛部２６に沿って移動することにより、この第１開口部３０内に内周目盛部２６の一部を位置させて露出させることができ、この露出した一部の内周目盛部２６の目盛を内周指示部３１が指示することにより、この内周指示部３１で指示された内周目盛部４２の目盛を正確に且つ容易に読み取ることができる。
【００７７】
また、副針５０の他端部の平板部５０ｂが、上文字板９の広開口部２０から露出した状態で、下文字板８の機能表示部２１に沿って運針する際には、図１５に示すように、副針５０の他端部に設けられた内周目盛隠し部５１が内周目盛部２６上を移動することにより、この内周目盛隠し部５１で内周目盛部２６の一部を完全に隠しながら移動し、外周指示部５２が外周目盛部２５を指示するので、外周指示部５２で指示された外周目盛部２５の目盛のみをそのまま読み取ることができる。このため、副針５０が内周指示部３１と外周指示部５２とを備えていても、また機能表示部２１が外周目盛部２５と内周目盛部２６とを備えていても、副針５０による機能表示部２１に対する指示の誤認を確実に且つ容易に防ぐことができる。
【００７８】
なお、上記実施形態４では、副針５０が、ほぼ三角形状の枠状部５０ａとほぼ三角形状の平板部５０ｂとを有し、これら枠状部５０ａの角部と平坦部５０ｂの角部とを副針５０の回転中心部で連結した構成である場合について述べたが、これに限らず、例えば図１６〜図１８に示す変形例のように構成しても良い。すなわち、この副針５５は、その一端部側（図１６では左端部側）を実施形態４と同じほぼ三角形の枠状部５５ａに形成し、他端部側（図１６では右端部側）を先細の針状部５５ｂに形成した構成になっている。
【００７９】
この場合にも、副針５５は、ほぼ三角形の枠状部５５ａと針状部５５ｂとが副針５５の回転中心部で連結され、上文字板９と下文字板８との間に位置した状態で、機能表示部２１に沿って回転するように構成されている。すなわち、ほぼ三角形の枠状部５５ａには、実施形態４と同様、第１開口部３０、内周指示部３１、外周目盛隠し部３２が設けられている。また、針状部５５ｂには、外周目盛部２５を指示する外周指示部５６と、内周目盛部２６の一部を隠す内周目盛隠し部５７とが設けられている。
【００８０】
このような腕時計においても、実施形態４と同様、副針５５の一端部側の枠状部５５ａに設けられた内周指示部３１が、上文字板９の広開口部２０から露出した状態で、下文字板８の機能表示部２１に沿って運針する際に、図１７に示すように、第１開口部３０が内周目盛部２６に沿って移動することにより、この第１開口部３０内に位置して露出する一部の内周目盛部２６の目盛を内周指示部３１が指示することにより、この内周指示部３１で指示された内周目盛部４２の目盛を正確に且つ容易に読み取ることができる。
【００８１】
また、副針５５の他端部側の針上部５５ｂに設けられた外周指示部５６が、上文字板９の広開口部２０から露出した状態で、下文字板８の機能表示部２１に沿って運針する際には、図１８に示すように、内周目盛隠し部５７が内周目盛部２６上を移動することにより、この内周目盛隠し部５７で内周目盛部２６の一部を隠しながら運針し、外周指示部５６が外周目盛部２５を指示するので、外周指示部５６で指示された外周目盛部２５の目盛をそのまま読み取ることができる。このため、副針５５が内周指示部３１と外周指示部５６とを備えていても、また機能表示部２１が外周目盛部２５と内周目盛部２６とを備えていても、副針５５による機能表示部２１に対する指示の誤認を確実に且つ容易に防ぐことができる。
【００８２】
なおまた、上記実施形態４およびその変形例では、機能表示部として、外周目盛部２５と内周目盛部２６とが同じ種類の機能を分割して連続させた状態で表示した機能表示部２１を適用した場合について述べたが、これに限らず、実施形態２に記載したように、機能表示部として、外周目盛部４１と内周目盛部４２とが異なる機能をそれぞれ独立させて表示した機能表示部４０を用いた場合にも適用することができるほか、実施形態３に記載した機能表示部４５を用いた場合にも適用することができる。
【００８３】
さらに、上記実施形態１〜４およびその各変形例では、この発明に係わる文字板構造を指針式の腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計である必要もなく、自動車のメータなどの指針式の計器類を含む指針式機器にも、この発明に係わる文字板構造を組み込むことにより、広く適用することができる。
【符号の説明】
【００８４】
１  腕時計ケース
４  時計モジュール
８  下文字板
９  上文字板
２０  広開口部
２１、４０、４５  機能表示部
２１ａ、４０ａ、４５ａ  表示領域
２４、５０、５５  副針
２５、４１、４６  外周目盛部
２６、４２、４７  内周目盛部
３０  第１開口部
３１  内周指示部
３２  外周目盛隠し部
３３  第２開口部
３４、５１、５７  内周目盛隠し部
３５、５２、５６  外周指示部
【図１】
2012168200.tif 000003
【図２】
2012168200.tif 000004
【図３】
2012168200.tif 000005
【図４】
2012168200.tif 000006
【図５】
2012168200.tif 000007
【図６】
2012168200.tif 000008
【図７】
2012168200.tif 000009
【図８】
2012168200.tif 000010
【図９】
2012168200.tif 000011
【図１０】
2012168200.tif 000012
【図１１】
2012168200.tif 000013
【図１２】
2012168200.tif 000014
【図１３】
2012168200.tif 000015
【図１４】
2012168200.tif 000016
【図１５】
2012168200.tif 000017
【図１６】
2012168200.tif 000018
【図１７】
2012168200.tif 000019
【図１８】
2012168200.tif 000020
【手続補正書】
【提出日】平成24年7月9日(2012.7.9)
【手続補正１】
【補正対象書類名】明細書
【補正対象項目名】０００６
【補正方法】変更
【補正の内容】
【０００６】
この発明は、上記課題を解決するために、次のような構成要素を備えている。
請求項１に記載の発明は、機能表示部が表示された文字板と、前記文字板の前記機能表示部に沿って運針する針部材とを備え、
前記機能表示部は、前記針部材の回転中心部を中心として１８０度未満の角度範囲で形成された表示領域と、この表示領域における外周側に設けられた外周目盛部と、この外周目盛部の内周側に設けられた内周目盛部とを有し、前記針部材は、その一端部側に設けられて前記内周目盛部に沿って移動する目盛開口部と、この目盛開口部にその内側に向けて突出して設けられ、且つ前記目盛開口部内に位置する一部の前記内周目盛部を指示する内周指示部と、他端部に設けられて前記外周目盛部を指示する外周指示部とを有していることを特徴とする文字板構造である。
【手続補正２】
【補正対象書類名】特許請求の範囲
【補正対象項目名】全文
【補正方法】変更
【補正の内容】
【特許請求の範囲】
【請求項１】
機能表示部が表示された文字板と、前記文字板の前記機能表示部に沿って運針する針部材とを備え、
前記機能表示部は、前記針部材の回転中心部を中心として１８０度未満の角度範囲で形成された表示領域と、この表示領域における外周側に設けられた外周目盛部と、この外周目盛部の内周側に設けられた内周目盛部とを有し、
前記針部材は、その一端部側に設けられて前記内周目盛部に沿って移動する目盛開口部と、この目盛開口部にその内側に向けて突出して設けられ、且つ前記目盛開口部内に位置する一部の前記内周目盛部を指示する内周指示部と、他端部に設けられて前記外周目盛部を指示する外周指示部とを有していることを特徴とする文字板構造。
【請求項２】
前記針部材は、前記内周指示部側の前記一端部に設けられて前記外周目盛部の一部を隠しながら移動する外周目盛隠し部を有していることを特徴とする請求項１に記載の文字板構造。
【請求項３】
前記針部材は、前記外周指示部側の前記他端部に設けられて前記内周目盛部の一部を隠しながら移動する内周目盛隠し部を有していることを特徴とする請求項１または２に記載の文字板構造。
【請求項４】
前記機能表示部の前記表示領域は、前記針部材の前記内周指示部と前記外周指示部との一方が前記機能表示部を指示している状態のときに、前記内周指示部と前記外周指示部との他方が前記第１文字板の下側に位置して隠れる範囲で設けられていることを特徴とする請求項１〜３のいずれかに記載の文字板構造。
【請求項５】
前記外周目盛部と前記内周目盛部とは、同じ種類の機能を表す目盛が分割されて連続した状態で表示されていることを特徴とする請求項１〜４のいずれかに記載の文字板構造。
【請求項６】
前記外周目盛部と前記内周目盛部とは、異なる種類の機能を表す目盛がそれぞれ独立して表示されていることを特徴とする請求項１〜４のいずれかに記載の文字板構造。
【請求項７】
請求項１に記載の文字板構造を機器本体に備えていることを特徴とする指針式機器。